(57)【要約】      （修正有）【課題】要介護者を安定な状態で保持し、介護者の両手をつかった介護を可能にする体位保持具を提供する。【解決手段】ベッド上で要介護者を保持する二つ折りの体位保持具１であって、底板２０と、底板２０に対して鋭角に立設され背板回動用蝶番５０を介して連結する背板１０と、背板１０のうち底板２０と向かい合う面に取付けた保持バー回動用蝶番４０を介して揺動自在に連結された背板保持バー３０と、底板２０の中央に設けられた背板保持バー３０を押圧停止させるストッパー６０とで構成される。ストッパー６０の先端には、荷重受け鋭角凹部６３を備え、底板２０のベッドと接する面に滑り止め手段２１を具備した。【選択図】図２
2020108485.tif 000002
【特許請求の範囲】
【請求項１】
ベッド上で横臥状態あるいは座位体位にある要介護者を保持する二つ折りの体位保持具（１）であって、
前記要介護者の横に配置される底板（２０）と、該底板（２０）に対して鋭角に立設され底板とは背板回動用蝶番（５０）を介して連結する前記要介護者の背中を保持する背板（１０）と、該背板（１０）のうち前記底板（２０）と向かい合う面に取付けた保持バー回動用蝶番（４０）を介して揺動自在に連結された背板保持バー（３０）と、前記底板の中央に設けられた前記背板保持バーを押圧停止させるストッパー（６０）とで構成された体位保持具（１）において、
前記ストッパー（６０）の先端には、前記底板（２０）のうち前記背板（１０）と向かいう面に荷重受け鋭角凹部（６３）を備え、当該下部鋭角凹部は前記背板（１０）を前記底板（２０）に対して鋭角に立接させた時には背板保持バー（３０）に掛かる全重力を受け止める構成とし、
更に被介護者の体位変換のために当該体位保持具を持ち上げる時には、前記背板（１０）は前記底板（２０）に対して開く動きになり、背板（１０）の動きに連動して背板保持バー（３０）の背板保持バー抜け防止溝（３１）が、背板回動用蝶番（５０）方向に滑ることで抜け防止オーバーハング（６１）に嵌まり、背板保持バー（３０）が背板保持バー入れ込み溝（６２）から抜けなくなる構成とし、
更に前記底板（２０）の要介護者が上記背板（１０）に体重を負荷した時、体位保持具（１）が要介護者の背中後方にずれない為に背板とベッドと接する面に滑り止め手段（２１）を具備したことを特徴とする介護用体位保持具（１）
【請求項２】
前記ストッパー（６０）には、要介護者を保持する状態によって前記背板（１０）の角度を変えるために、前記背板保持バーが外れ背板保持バー先端鋭角部（３２）を入れ込む背板保持バー入れ込み溝（６２）を有することを特徴とする請求項１に記載の体位保持具
【発明の詳細な説明】
【技術分野】
【０００１】この考案は、横臥状態または座位状態の要介護者に体位保持具を背中側から添える事で、保持したい状態を簡単に保つ事を可能にした体位保持具である。また横臥状態と座位状態とは背板の角度が異なり、最も適した角度に変えられるよう、抜き差し動作だけで変更を可能にした体位保持具である。しかし、背板保持バーが前記底板に取り付けてあるストッパーに容易に入れることは出来るが、介護者が介護作業時に体位保持具と介護者の位置関係を好ましい位置に変える時、背板の上部を持ち上げて移動させようとする時に背板保持バーが外れると作業の支障になる。本願発明は体位保持具の移動のために上部にある取手を掴んで上に持ち上げても、容易に外れる事はなく、介護作業に余分な作業を増やすこともなく、スムーズで安全で強い力で支え続ける事を必要としない作業が出来る事が特徴の体位保持具である。介護者の負担が軽減されることで、要介護者に取っても、介護者が片手で支えながら行う事に比べ、安定感と安心感が増し、質の高い介護作業を行う事が可能になる。また布団、ジュータン、マット、毛布などあらゆる布類が敷いてある所において、要介護者が体位保持具にもたれることで、体位保持具が滑って移動しない事を可能にした体位保持具である。
【背景技術】
【０００２】実用新案登録第３１５４５１６は、２枚の板を中央の折り曲げ手段で開閉が可能になっており、片方の板を介護者が寝ている背中の下に押し込み、板の片方を持って上げることで、介護者が横を向き、その状態を保持するために、折り曲げ手段を使い、もう片方の板と鎖で連結することで、支えとなり、保持状態を保てる。しかしながらベッド上で横臥状態になった要介護者を保持するには、支持する板の間隔が広く、ベッド上では使えない。【０００３】さらに特開２００５−８１１０８は、三角を基本に形作られており、ソフトな素材で横臥状態の要介護者を支える構造になっている。しかしながら角度は変えられるが、その方法は容易ではなく、特に女性、お年寄りにはとても困難である。【０００４】さらに、実開平６−３３２４は、ベッドあるいは布団に寝ている状態で、脇腹を斜め下方向にして寝る為だけの補助具である。しかしながら背中を当てる角度を１２０度回転させることで可能だが、底面の滑りがあり、安定して保持させることは出来ない。
【先行技術文献】
【特許文献】
【０００５】
【特許文献１】実用新案登録第３１５４５１６
【特許文献２】特開２００５−８１１０８
【特許文献３】実開平６−３３２４
【発明の概要】
【発明が解決しようとする課題】
【０００６】０００２記載の物は、ベッド上で横臥状態になった要介護者を保持するには、支持する。板の間隔が広く、ベッド上では使えない。また、角度は変えられるが、その方法は容易ではなく、特に女性、お年寄りにはとても困難である。
また、０００３記載の物は、背中を当てる角度を１２０度回転させることで可能だが、底面の滑りがあり、安定して保持させることは出来ない。また、折りたたんでの収納は出来ない。
また、０００４記載の物は、介護作業を軽減する為のものではない。【０００７】従来技術による体位保持具では、上記の様な不具合を有するため、本願では介護の現場一人での作業であり、要介護者の衣服の交換、オムツの交換、汚物の除去と洗浄などが主な作業である。その作業に欠かせないのが、要介護者の横腹を下に向けて横臥させる事で、背中から臀部を横にすることが出来、その状態を保つ事で一連の介護作業が可能になる。その状態で介護作業の半分を行い、その後、逆向きの横臥状態にさせ、残りの作業をするが、横臥状態を保持する事は、要介護者が自ら出来る事ではなく、必ず介護者が要介護者の体を片方の手で支え保持しているので、もう一方の手だけでの介護作業になり、要介護者を安定した保持状態に保つ事が困難であり、不安を与えることになる。また、要介護者が楽な姿勢でベッドまたは布団の上で座る座位状態になる事は出来るが、その状態を保つ事が出来ない場合、要介護者をそのままの状態で後方から確実に保持させる事が可能な道具の考案開発を課題とする。
【課題を解決するための手段】
【０００８】自力で体を動かす事が出来ない要介護者を介護する作業内容は、要介護者の状態にもよりそれぞれに合った様々な内容がある。しかしながらいずれの場合に於いても、要介護者の身体を横臥状態にする事で、衣服の着替え、身体の洗浄、排便の処理等を行う。また長時間の同姿勢では褥瘡（床ずれ）になる可能性が高いので、その予防にもなる。しかしながら先行技術では底面から１５度前後の角度を要介護者に与える物しかなく、実際の介護作業はこの角度では出来ないので、介護者が片方の手で要介護者の背中が垂直近くまでお越し、片手でその角度を保ちながら介護作業を行っている。要介護者の背中をベッド面からみて垂直に近い角度まで起こし、要介護者の体重を支えるための体位保持可能な物を配置する事は出来るが、要介護者の体重が体位保持具に掛かり、体位保持具は滑って移動するので、体位保持が出来ない。本発明は底面から８０度の角度まで要介護者を横臥状態にした時に支える物であるが、体位保持具の底面に配した滑り止めがあることで、体位保持具を置く場所が布であれば、横臥状態を保ったままで体位保持具は滑ってずれる事はない。また、背中の角度を三段階から五段階まで角度を変える事が出来るので、適度な横臥状態を作り、保持する事が可能になる。それにより、一人で行う介護作業の省力化と確実な安全性を高める事を可能にした。また体位保持具は要介護者の背面に設置するので、介護者に取って要介護者を挟んで前方向に設置することになり、介護者が体位保持具を設置するとき、または体位保持具の位置を変える時に体位保持具上の取手を持ち、上方向に持ち上げなければならない。その時に背板保持バーは底板に配されたストッパーから外れることになる。必然的に介護者は要介護者を支えている片手を離し、他の物で要介護者の横臥状態を保つか、要介護者を元の上向き状態に戻し、背板保持バーをストッパーに戻す作業が増えると同時に、他の作業も増え、介護作業の省力化と安全化を図れないことになる。本願発明は、背板保持バーを適度な角度の背板角度にする動作は容易であるにも関わらず、入れた背板保持バーは体位保持具を移動する時に、取手を持って持ち上げる時に背板が下面から見て垂直方向に回転するため、背板保持バーが蝶番方向に引っ張られることになり、背板保持バーが体重を受ける方向と逆方向に、背板保持バーが引っかかる構造を配する事で、一度入れると持ち上げる時には絶対に外れない係合状態になり、介護作業をより快適且つ安全であり、作業向上になる。【０００９】要介護者を保持する状態によって、前記背板の角度を変えるのに必要な前記底板を支える前記背板保持バーの前記背板保持バー先端鋭角部を入れ込む複数の溝と、
前記背板の上部を掴み易くする為の凹型取手と
要介護者が体位保持具に体重を負荷させた時、要介護者に安心感と快感を与えるための背板クッションと
作業以外の時に収納する為に、二つ折りに出来る折り畳み機構と
要介護者が上記背板に体重を負荷した時、体位保持具が要介護者の背中方向にずれることで、余分な介護作業を増やさないために、底板の裏側に強力な滑り止め手段を配することを有した請求項１に記載の体位保持具
【発明の効果】
【００１０】この考案は要介護者が、介護作業の困難さから受けるストレスを軽減させ、体位保持具を使用している時は、保支されている状態の安定性からくる安心感があることと、介護者がこれまでの介護作業では片方の手しか使えなかったが、両手を解放出来ることで、作業が大幅に軽減し、時間の短縮になり、質の高い介護作業が可能となり、介護者、要介護者双方にプラス効果が出る。【００１１】横臥状態または楽な姿勢で座る座位状態の要介護者の後方から要介護者の背中に、体位保持具底板の底板の裏面に滑り止め手段を配した体位保持具の背板の面を当てるように添える事で、横臥状態また楽な姿勢で座る座位状態の要介護者は、介護者が手で保持する事無く、安定した状態が保たれ、介護作業を大幅に軽減する事を可能とした体位保持具である。【００１２】座位状態を望まれる要介護者の背中を支える為に、一般的な座椅子を使用する場合は、要介護者の臀部を上げ、その下に座椅子の底板を差し込むという動作が必要になるが、本願発明の体位保持具は、滑り止め手段を有しているため、後方から要介護者の背中に体位保持具の背板を添える事で、要介護者は、楽な姿勢の座位状態を保つ事が出来る。【００１３】この体位保持具を使う事で、要介護者の横腹を下にした横臥状態、あるいは座位状態を自然に安定して保持することが出来るので、介護者の両手が開放され、これまで以上に素早く充分に行き渡った介護が出来る。【００１４】背板の角度を変えるための背板保持バーは、単純な抜き差し方式のものであるが、介護時に背板の上部を持って体位保持具を動かす動作をするときに、ストッパーに差し込まれた背板保持バーが抜けることは、介護時に余分な作業を作ってしまうことになる。しかし抜け防止オーバーハングを付加することで、介護作業中に体位保持具を持ち上げる動作では容易に外れることはない。しかし角度を変える時には簡単に外れる。【００１５】この体位保持具を使わないときは折り畳む事が出来、バッグにも収納が可能であり、持ち運びに便利である。【００１６】楽に座る座位状態になることは出来るが、その状態を保つ事が出来ない要介護者に限らず座位状態の持続が不安定な方に、体位保持具を後方から背中に当てる事で、一般的な座椅子と同様な使い方も出来る。【００１７】一般的な座椅子は、要介護者が臀部と座布団を上げ、その下に座椅子の底板を差し込む必要があるが、この体位保持具は、要介護者の背中側から当てるだけで、体位保持具の底板裏側に配された滑り止めの摩擦抵抗があるので、ジュータン、座布団、布団、毛布、シーツ、タオルケットなどの布状の物に限られるが、背板に体重が掛かっても、要介護者の背中方向に滑ってずれることは無く、一般的な座椅子と同様な使い方も出来る。【００１８】また、一般的な座椅子は、要介護者が伸びをする様な姿勢をした時、後方に転倒する可能性があるが、この体位保持具は、構造上それは起こり得ないという利点を有する。【００１９】楽に座る座位状態を保持する体位保持具の背板の角度は、人ぞれぞれで異なるので、５段階の角度調整が可能な手段を有する。
【図面の簡単な説明】
【００２０】
【図１】（Ａ）本願発明の体位保持具の使用方法を示す斜視図である。（Ｂ）本願発明の体位保持具の座位状態での使用方法を示す斜視図である。
【図２】（Ａ）要介護者の体位保持具の側面図である。（Ｂ）要介護者の体位保持具の角度が少し変化した側面図である。（Ｃ）要介護者の体位保持具の角度がもう少し変化した側面図である。（Ｄ）背板固定用ストッパーの正面図と側面図の拡大図である。
【図３】背板保持バーと回動に使用する蝶番の図と拡大図である。
【図４】背板の図と背板保持バー収納溝の図である。
【図５】底板と外れ防止溝付背板保持バー受けの正面図と側面図である。
【図６】背凭れの角度を変える背板保持バーが回動する側面図と折畳んだ側面図である。
【図７】（Ａ）体位保持具を持ち上げる前の図である。（Ｂ）体位保持具を持ち上げた時、背板保持バーが外れない図である。
【発明を実施するための形態】
【００２１】図１（Ａ）は、要介護者が横臥状態の時、背後から本願発明の体位保持具を添えた状態を示す斜視図である。
【００２２】図１（Ｂ）は、要介護者あるいは、自力での体位保持が困難な方がベッドあるいは布団の上で座位状態の時、背後から添えた状態を示す斜視図である。
【００２３】図２（Ａ）（Ｂ）（Ｃ）は背板の角度を変えた図である。背板（１０）と底板の幅は、要介護者を安定させる事が可能であり、不要な幅寸を除く大きさである。長さは背中に当てた時に上部の角が要介護者に当たらない高さである。底板（２０）は、畳んだ時の状態を考慮し、滑り止め（２１）の効力が出る寸法である。また、要介護者を優しく安全に保持する事を考慮し、背中クッション（１２）を配した図である。
【００２４】図２（Ｄ）はストッパー（６０）の図である。荷重受け鋭角凹部（６３）と抜け防止オーバーハング（６１）で構成され、セットされた体位保持具の角度の変更と持ち運びの時に介護者に負担を掛けない構造を示した図である。
【００２５】図２の底板の裏に貼ってある滑り止め（２１）は、ＰＶＣやゴム等の摩擦抵抗の大きい物を貼ると、背板に荷重が掛った時に滑り止めにはなるが、確実な制動性は無い。外部の階段の滑り止めに使用する６０番〜１００番の布ペーパーを強力な両面テープで貼る事で滑り止め効果が増大し、滑り止めがすり減る事もなく、親布性があり横臥状態を保持する最も重要な物であることを示した図である。
【００２６】図３は要介護者を横臥状態にする時、本願発明の体位保持具のクッション部を要介護者の背後に添え、要介護者の横臥状態を支えると、要介護者の体重が背板に掛かる。その全体重を底板に配されたトッパー（６０）が受ける背板保持バーと、背板保持バー収納溝（１３）に収納されている背板保持バー（３０）をトッパー（６０）に入れる為に回動させる保持バー回動用蝶番（４０）と、背板保持バー抜け防止溝の図である。
【００２７】図４は、背板と背板保持バー収納溝と取手の図である。背板（１０）と底板（２０）、また背板保持バー（３０）を回動させる背板回動用蝶番（５０）を配してあるが、この背板回動用蝶番（５０）を背板（１０）と底板（２０）に固定する為にボルトを使うことで背板（１０）と底板（２０）にねじ込んだボルトが経年で外れたり壊れたりしないように、蝶番固定用鬼目ナット（２３）を圧入した。また、背板（１０）と底板（２０）を折畳んだ時、持ち運びが容易に出来る様に、取手（１１）を配した図である。
【００２８】図５は底板（２０）の図である。底板（２０）の中央に全体重を支える背板保持バー（３０）の背板保持バーがストッパー（６０）に入る先端部（３２）を受けるストッパー（６０）がズレが生じないように埋め込む形でストッパー取り付け部（２２）配した。また底板（２０）の裏に、外部階段の滑り止めに使用する６０番前後の布やすりを、強力な両面テープで貼付けた滑り止め（２１）を配し、背板（１０）に受けた要介護者の荷重で、体位保持具（１）が要介護者の背後方向に滑り、体位を保持する事が出来なくなることを防いだ本願発明の体位保持具（１）の図である。
【００２９】図６は要介護者を支える体位保持具に配された背板保持バーを収納からストッパー（６０）にはめ込む図と、背板保持バーを収納し、折畳んだ図である。
【００３０】図７は要介護者の状態に応じて体位保持具（１）を移動する時に、滑り止め（２１）が配してある為に滑らす事が出来ない。従って上に持ち上げて移動する事になる。しかし上に持ち上げる動きは、ストッパー（６０）にはめ込まれた背板保持バー（３０）が抜けることになる。はめ込んだ物が抜けるのは、介護者に取って作業手間が増し、要介護者の不安が増し、介護者が要介護者に両手を使っての作業が出来なくなる。本願発明に於いて（Ａ）は背板保持バーがストッパー（６０）にはめ込まれた図であり、介護者が体位保持具（１）の上部に配された取手（１１）を持ち上に上げると、背板回動用蝶番（５０）により背板（１０）が回動し、その動きに引っ張られた背板保持バー（３０）の背板保持バー先端鋭角部（３２）が、図（Ｂ）に示すようにストッパー（６０）の底面を滑り、背板保持バー抜け防止溝（３１）が持上げ時、抜け防止オーバーハング（６１）と係合し、体位保持具（１）の状態を保ったまま移動が出来る事を示した図である。
【符号の説明】  １  体位保持具全体
１０  背板
１１  取手
１２  背中クッション
１３  背板保持バー収納溝
２０  底板
２１  滑り止め
２２  ストッパー取り付け部
２３  蝶番固定用鬼目ナット
３０  背板保持バー
３１  背板保持バー抜け防止溝
３２  背板保持バー先端鋭角部
４０  保持バー回動用蝶番
５０  背板回動用蝶番
６０  ストッパー
６１  抜け防止オーバーハング
６２  背板保持バー入れ込み溝
６３  荷重受け鋭角凹部
【図１】
2020108485.tif 000003
【図２】
2020108485.tif 000004
【図３】
2020108485.tif 000005
【図４】
2020108485.tif 000006
【図５】
2020108485.tif 000007
【図６】
2020108485.tif 000008
【図７】
2020108485.tif 000009